(57)【要約】【課題】膜蒸留法を用いて装置をコンパクト化しつつ、装置の稼働コストを低減できる清浄水生成装置を提供する。【解決手段】清浄水生成装置１は、原水をヒータ１０に供給する原水供給回路１１と、ヒータ１０で加温された原水を蒸留膜１２の一次側に供給し、その後ヒータ１０に戻して循環させる循環回路１３と、蒸留膜１２の二次側に生成された蒸気を送流する送流回路１４と、送流回路１４の蒸気と原水供給回路１１の原水との間で熱交換を行う熱交換器１５とを有している。【選択図】図１
2015196150.tif 000002
【特許請求の範囲】
【請求項１】
透析液調製用の清浄水を生成する清浄水生成装置であって、
原水をヒータに供給する原水供給回路と、
前記ヒータで加温された原水を蒸留膜の一次側に供給し、その後前記ヒータに戻して循環させる循環回路と、
前記蒸留膜の二次側に生成された蒸気を送流する送流回路と、
前記送流回路の蒸気と前記原水供給回路の原水との間で熱交換を行う熱交換器と、を有する、清浄水生成装置。
【請求項２】
前記蒸留膜の二次側を減圧可能な減圧手段を有する、請求項１に記載の清浄水生成装置。
【請求項３】
前記送流回路の蒸留水を貯留する貯留タンクと、
前記貯留タンク内を真空吸引する真空ポンプと、をさらに有し、
前記減圧手段は前記真空ポンプである、請求項２に記載の清浄水生成装置。
【請求項４】
前記送流回路内を減圧しながら送液する減圧ポンプと、
前記送流回路の前記減圧ポンプの下流側に設けられ、前記送流回路の蒸気と蒸留水を分離する脱気槽と、をさらに有し、
前記減圧手段は前記減圧ポンプである、請求項２に記載の清浄水生成装置。
【請求項５】
前記熱交換器で凝縮される蒸留水の温度を制御する温度制御システムをさらに有する、請求項１〜４のいずれかに記載の清浄水生成装置。
【請求項６】
前記温度制御システムは、
前記熱交換器で熱交換した原水を前記原水供給回路から分岐する分岐回路と、
前記分岐回路に分岐される原水の流量を調整する流量調整装置と、を有し、
前記流量調整装置により前記分岐回路に分岐される原水の流量を調整して、蒸留水の温度を調整する、請求項５に記載の清浄水生成装置。
【請求項７】
前記熱交換器で凝縮される蒸留水の電導度を測定する電導度測定装置をさらに有する、請求項１〜６のいずれかに記載の清浄水生成装置。
【請求項８】
前記蒸留膜の二次側の圧力を検出する圧力センサと、
前記ヒータを停止し、減圧装置により前記蒸留膜の二次側を減圧して密閉し、前記圧力センサによる圧力測定結果に基づいて前記蒸留膜の液漏れを検出する液漏れ検出装置と、を有する、請求項１〜７のいずれかに記載の清浄水生成装置。
【請求項９】
前記蒸留膜の一次側の圧力を検出する圧力センサと、
前記ヒータを停止し、前記蒸留膜の一次側を加圧して密閉し、前記圧力センサによる圧力測定結果に基づいて前記蒸留膜の液漏れを検出する液漏れ検出装置と、を有する、請求項１〜７のいずれかに記載の清浄水生成装置。
【請求項１０】
請求項１〜９のいずれかに記載の清浄水生成装置と、
前記清浄水生成装置に接続された透析液調製部と、を有する血液浄化装置。
【請求項１１】
透析液調製用の清浄水を生成する方法であって、
原水をヒータで加温して蒸留膜の一次側に供給し、その後前記ヒータに戻して循環させ、前記蒸留膜を通じて前記蒸留膜の二次側に生成された蒸気と前記ヒータに供給する前の原水との間で熱交換して前記蒸気を冷却し原水を加温する、清浄水生成方法。
【発明の詳細な説明】
【技術分野】
【０００１】
本発明は、透析液調製用の清浄水生成装置、血液透析装置、血液浄化装置及び清浄水生成方法に関する。
【背景技術】
【０００２】
従来より、透析液を調製するために用いられる清浄水は、一般的に水道水等の原水を軟水器、活性炭素吸着装置、フィルタ、ＲＯモジュール（逆浸透膜モジュール）等を通過させる、いわゆる逆浸透膜法（ＲＯ法）を用いて生成されている（特許文献１参照）。
【先行技術文献】
【特許文献】
【０００３】
【特許文献１】特開２０１４−１８４０３号公報
【発明の概要】
【発明が解決しようとする課題】
【０００４】
上述のようにＲＯ法を用いた場合、原水を浄化するための部材や装置が複数必要になるため、清浄水生成装置全体が大型化してしまう。
【０００５】
そこで、本願発明者は、原水を膜を用いて蒸留する、いわゆる膜蒸留法を用いて清浄水を生成することを考えている。この膜蒸留法を用いた場合、装置が小型化できるうえ、清浄水の純度をさらに上げることができる。一方、この膜蒸留法の場合、原水をヒータにより加温したり蒸気を冷却する必要があるため、装置の稼働コストがかかるという欠点がある。
【０００６】
本出願はかかる点に鑑みてなされたものであり、膜蒸留法を用いて装置をコンパクト化しつつ、装置の稼働コストを低減できる清浄水生成装置、血液透析装置などの血液浄化装置及び清浄水生成方法を提供することをその目的とする。
【課題を解決するための手段】
【０００７】
上記目的を達成するための本発明には、透析液調製用の清浄水を生成する清浄水生成装置であって、原水をヒータに供給する原水供給回路と、前記ヒータで加温された原水を蒸留膜の一次側に供給し、その後前記ヒータに戻して循環させる循環回路と、前記蒸留膜の二次側に生成された蒸気を送流する送流回路と、前記送流回路の蒸気と前記原水供給回路の原水との間で熱交換を行う熱交換器と、を有する、清浄水生成装置が含まれる。
【０００８】
前記清浄水生成装置は、前記蒸留膜の二次側を減圧可能な減圧手段を有するものであってもよい。
【０００９】
前記清浄水生成装置は、前記送流回路の蒸留水を貯留する貯留タンクと、前記貯留タンク内を真空吸引する真空ポンプと、をさらに有し、前記減圧手段は前記真空ポンプであってもよい。
【００１０】
前記清浄水生成装置は、前記送流回路内を減圧しながら送液する減圧ポンプと、前記送流回路の前記減圧ポンプの下流側に設けられ、前記送流回路の蒸気と蒸留水を分離する脱気槽と、をさらに有し、前記減圧手段は前記減圧ポンプであってもよい。
【００１１】
前記清浄水生成装置は、前記熱交換器で凝縮される蒸留水の温度を制御する温度制御システムをさらに有していてもよい。
【００１２】
前記温度制御システムは、前記熱交換器で熱交換した原水を前記原水供給回路から分岐する分岐回路と、前記分岐回路に分岐される原水の流量を調整する流量調整装置と、を有し、前記流量調整装置により前記分岐回路に分岐される原水の流量を調整して、蒸留水の温度を調整するようにしてもよい。
【００１３】
前記清浄水生成装置は、前記熱交換器で凝縮される蒸留水の電導度を測定する電導度測定装置をさらに有していてもよい。
【００１４】
前記清浄水生成装置は、前記蒸留膜の二次側の圧力を検出する圧力センサと、前記ヒータを停止し、減圧装置により前記蒸留膜の二次側を減圧して密閉し、前記圧力センサによる圧力測定結果に基づいて前記蒸留膜の液漏れを検出する液漏れ検出装置と、を有するようにしてもよい。
【００１５】
前記清浄水生成装置は、前記蒸留膜の一次側の圧力を検出する圧力センサと、前記ヒータを停止し、前記蒸留膜の一次側を加圧して密閉し、前記圧力センサによる圧力測定結果に基づいて前記蒸留膜の液漏れを検出する液漏れ検出装置と、を有するようにしてもよい。
【００１６】
別の観点による本発明には、上記清浄水生成装置と、前記清浄水生成装置に接続された透析液調製部と、を有する血液浄化装置が含まれる。
【００１７】
別の観点による本発明には、透析液調製用の清浄水を生成する方法であって、原水をヒータで加温して蒸留膜の一次側に供給し、その後前記ヒータに戻して循環させ、前記蒸留膜を通じて前記蒸留膜の二次側に生成された蒸気と前記ヒータに供給する前の原水との間で熱交換して前記蒸気を冷却し原水を加温する、清浄水生成方法が含まれる。
【発明の効果】
【００１８】
本発明によれば、膜蒸留法を用いて清浄水生成装置をコンパクト化しつつ、装置の稼働コストを低減できる。
【図面の簡単な説明】
【００１９】
【図１】清浄水生成装置の構成の概略を示す模式図である。
【図２】他の清浄水生成装置を有する清浄水生成装置の構成の概略を示す模式図である。
【図３】温度調整システムを有する清浄水生成装置の構成の概略を示す模式図である。
【図４】蒸留水の電導度を測定可能な清浄水生成装置の構成の概略を示す模式図である。
【図５】蒸留膜の液漏れを検出可能な清浄水生成装置の構成の概略を示す模式図である。
【図６】蒸留膜の液漏れを検出可能な他の清浄水生成装置の構成の概略を示す模式図である。
【図７】清浄水生成装置を有する血液浄化装置の構成の一例を示す説明図である。
【発明を実施するための形態】
【００２０】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００２１】
図１は、本実施の形態に係る透析液調製用の清浄水生成装置１の構成の概略を示す説明図である。清浄水生成装置１は、例えば水道水などの原水をヒータ１０に供給する原水供給回路１１と、ヒータ１０で加温された原水を蒸留膜１２の一次側に供給し、その後ヒータ１０に戻して循環させる循環回路１３と、蒸留膜１２の二次側に生成された蒸気を透析液調製部に送流する送流回路１４と、送流回路１４の蒸気と原水供給回路１１の原水との間で熱交換し、蒸気を凝縮させる熱交換器１５と、制御装置１６を有している。
【００２２】
原水供給回路１１は、例えば水道管などの外部原水供給源に接続されている。原水供給回路１１は、熱交換器１５の低温側通路を通ってヒータ１０に通じている。循環回路１３には、循環ポンプ２０が設けられている。蒸留膜１２は、平板膜、中空糸膜などの疎水性多孔質膜であり、モジュール内に配置されており、原水を通過させる一次側通路と蒸気が生成される二次側通路を備えている。
【００２３】
送流回路１４は、例えば蒸留膜１２の二次側から熱交換器１５の高温側通路を通って透析液調製部に通じている。
【００２４】
送流回路１４には、例えば蒸留水を貯留する貯留タンク４０と、貯留タンク４０内を真空吸引する真空ポンプ４１を有している。この真空ポンプ４１は、蒸留膜１２の二次側を減圧する減圧手段としても機能する。なお、貯留タンク４０内には、図示しないレベルセンサが設けられ、貯留タンク４０内の液面を監視している。
【００２５】
送流回路１４の貯留タンク４０の下流側には、送液ポンプ４２が設けられている。
【００２６】
制御装置１６は、例えば清浄水生成装置１の全体の動作を制御するコンピュータであり、例えばヒータ１０、循環ポンプ２０、真空ポンプ４１、送液ポンプ４２等の動作を制御して、清浄水を生成する処理を実行できる。
【００２７】
清浄水を生成する処理では、先ず、原水が水道管などの外部原水供給源から原水供給回路１１を通じてヒータ１０に供給され加温される。ヒータ１０で加温された原水は、循環ポンプ２０により循環回路１３を通じて蒸留膜１２の一次側に供給される。高温の原水の一部は、蒸留膜１２を挟んだ蒸気圧差を駆動力として、蒸留膜１２の低温の二次側に蒸気になって流入する。残りの原水は循環回路１３を通じて再びヒータ１０に供給され、循環する。蒸留膜１２の二次側に生成された蒸気は、送流回路１４を通じて熱交換器１５の高温側に供給され、低温側を流れる原水供給回路１１の原水と熱交換する。これにより、蒸気が冷やされ凝縮する。凝縮してできた蒸留水は、送流回路１４を通じて貯留タンク４０に送られ貯留する。貯留タンク４０では、真空ポンプ４１により真空吸引され、凝縮されずに蒸留水に混じって存在する蒸気が排気される。排気後、貯留タンク４０の蒸留水は、送液ポンプ４２により清浄水として透析液調製部に送られる。
【００２８】
本実施の形態によれば、膜蒸留法を用いて透析液調製用の清浄水を生成できるので、装置全体をコンパクト化できる。そのうえで、送流回路１４の蒸気と原水供給回路１１の原水との間で熱交換を行うことができるので、原水の加温効率や蒸気の冷却効率を高めることができ、この結果、この系全体の熱効率が上がり、ヒータ１０の消費電力を抑えることができる。よって、装置をコンパクト化しつつ、装置の稼働コストを低減できる。
【００２９】
清浄水生成装置１は、蒸留水を貯留する貯留タンク４０と、貯留タンク４０内を真空吸引する真空ポンプ４１を有するので、送流回路１４内の蒸留水と気体を分離できる。よって、気体が分離された蒸留水を直接透析液調製部に送って透析液を調製することができる。また、真空ポンプ４１は、蒸留膜１２の二次側を減圧できるので、蒸留膜１２における原水の蒸発を促進できる。さらに真空ポンプ４１を用いて蒸留膜１２の二次側を減圧できるので、他に減圧手段を設ける必要がなく、装置構成を簡略化できる。
【００３０】
上記実施の形態で記載した送流回路１４は、貯留タンク４０、真空ポンプ４１に代えて、図２に示すように送流回路１４内を減圧する減圧手段としての減圧ポンプ５０と、送流回路１４の脱気を行う脱気槽５１を有していてもよい。この場合、熱交換器１５で凝縮した蒸留水は、減圧ポンプ５０により減圧され、脱気槽５１に送られる。脱気槽５１では、送流回路１４内の蒸留水と気体が分離され、気体が排出される。その後脱気槽５１の蒸留水は、清浄水として透析液調製部に送られる。
【００３１】
本実施の形態によれば、送流回路１４内の蒸留水と気体が分離されるので、清浄水生成装置１で生成された蒸留水をそのまま透析液調製部に送り透析液を調製できる。つまり、清浄水生成装置１を直接透析液調製部に接続できる。また、減圧ポンプ５０は、蒸留膜１２の二次側を減圧できるので、蒸留膜１２における原水の蒸発を促進できる。また減圧ポンプ５０を用いて蒸留膜１２の二次側を減圧できるので、他に減圧手段を設ける必要がなく、装置構成を簡略化できる。さらに、減圧ポンプ５０を用いて蒸留水を透析液調製部に送ることができるので、装置構成を簡略化できる。
【００３２】
以上の実施の形態において、清浄水生成装置１は、図３に示すように熱交換器１５で凝縮される蒸留水の温度を制御する温度制御システム６０をさらに備えていてもよい。例えば温度制御システム６０は、熱交換器１５で熱交換した原水を原水供給回路１１から分岐する分岐回路７０と、分岐回路７０に分岐される原水の流量を調整する流量調整装置７１を有している。流量調整装置７１には、例えば流量調整弁や流量可変ポンプが用いられる。そして、例えば制御装置１６により、流量調整装置７１により分岐回路７０に分岐される原水の流量が調整され、これによりヒータ１０によって加温される原水の温度が調整され、蒸留膜１２における蒸気温度が調整される。この結果熱交換器１５で凝縮される蒸留水の温度が調整される。例えば分岐回路７０への原水の分岐流量が増えると、熱交換器１５の原水の供給流量が増えて、蒸留水の温度が下がり、逆に分岐回路７０への原水の分岐流量が減ると、熱交換器１５の原水流量が減って蒸留水の温度も上がる。本装置における分岐回路７０への原水の分岐流量と蒸留水の温度との相関を予め知得しておき、その相関に基づいて、原水の分岐流量を調整することによって蒸留水の温度を制御してもよい。本実施の形態によれば、蒸留水の温度を調整して、透析液調製に必要な所望の温度の清浄水を生成することができる。この結果、生成後の蒸留水を温度調整を行わずにそのまま透析液調製部に送ることができる。
【００３３】
以上の実施の形態において、清浄水生成装置１は、図４に示すように熱交換器１５で凝縮される蒸留水の電導度を測定する電導度測定装置８０をさらに備えていてもよい。電導度測定装置８０のセンサは、送流回路１４の熱交換器１５の下流側、例えば貯留タンク４０の下流側に設けられる。電導度測定装置８０により蒸留水の電導度を測定することによって、蒸留膜１２の性能低下や破損等を検出することができる。なお、電導度測定装置８０の設置位置は図４の例に限られず、他の位置であってもよい。また、この例は、上記図２、図３に示した構成の清浄水生成装置１にも適用できる。
【００３４】
また、清浄水生成装置１は、図５に示すように蒸留膜１２の二次側の圧力を検出する圧力センサ９０を有し、液漏れ検出装置としての制御装置１６は、ヒータ１０を停止し、減圧装置である減圧ポンプ５０により蒸留膜１２の二次側を減圧して電磁弁９１で密閉し、圧力センサ９０による圧力測定結果に基づいて蒸留膜１２の液漏れを検出するようにしてもよい。この場合、ヒータ１０を停止することによって蒸留膜１２に蒸気圧差ができないので、原水の蒸留が停止する。蒸留膜１２に液漏れがなければ、蒸留膜１２の二次側の圧力は変化しないので、圧力センサ９０により圧力変化を検出することで蒸留膜１２の液漏れを検出できる。蒸留膜１２の液漏れを検出した場合には、直ちに蒸留膜１２を交換する。なお、この例は、上述の図２の構成の清浄水生成装置１に適用した例であるが、他の図１、図３及び図４の構成の清浄水生成装置１にも適用できる。
【００３５】
また、清浄水生成装置１は、図６に示すように蒸留膜１２の一次側の圧力を検出する圧力センサ１００を有し、制御装置１６は、ヒータ１０と循環ポンプ２０を停止し、電磁弁９１を閉じることで原水圧を蒸留膜１２の一次側である循環路に閉じ込めて、圧力センサ１００による圧力測定結果に基づいて蒸留膜１２の液漏れを検出してもよい。この場合、ヒータ１０を停止することによって原水の蒸留を停止する。蒸留膜１２に液漏れがなければ、蒸留膜１２の一次側の圧力は変化しないので、圧力センサ１００により圧力変化を検出することで蒸留膜１２の液漏れを検出できる。蒸留膜１２の液漏れを検出した場合には、直ちに蒸留膜１２を交換する。なお、この例は、上述の図２の構成の清浄水生成装置１に適用した例であるが、他の図１、図３及び図４の構成の清浄水生成装置１にも適用できる。
【００３６】
以上の清浄水生成装置１は、多人数用透析液供給装置の透析液調製部に接続されていてもよいし、血液透析装置の透析液調製部に接続されていてもよい。また、清浄水生成装置１は、透析液調製部を有する血液浄化装置に設けられていてもよい。以下にかかる場合の血液浄化装置の構成の一例を示す。
【００３７】
図７に示すように血液浄化装置１２０は、その装置内に例えば血液処理部１３０と、透析液補充部１３１と、清浄水生成装置１を備えている。
【００３８】
血液処理部１３０は、例えば患者の血液を浄化する中空糸膜などの血液浄化膜を有する血液浄化器１４０を備えている。血液浄化器１４０には、患者の血液を血液ポンプ１４１により血液浄化器１４０の血液浄化膜の一次側１４０ａに供給し患者に戻す血液回路１４２が接続されている。また、血液浄化器１４０には、例えば透析液貯留容器１５０の透析液を送液ポンプ１５１によって血液浄化膜の二次側１４０ｂに供給する透析液供給回路１５２と、血液浄化膜の二次側１４０ｂの透析液を送液ポンプ１５３によって排液容器１５４に排液する排液回路１５５が接続されている。なお、透析液供給回路１５２は、血液回路１４２にも接続可能であり、血液回路１４２に補液として透析液を供給できる。
【００３９】
透析液補充部１３１は、例えば透析液を調製する透析液調製部１６０と、透析液調製部１６０で調製された透析液を送液ポンプ１６５によって透析液貯留容器１５０に補充する補充回路１６３を備えている。
【００４０】
透析液調製部１６０は、例えば水供給源１７０と、Ａ原液供給源１７１と、Ｂ原液供給源１７２を有し、それらの液体を所定の割合で混合して透析液を調製できる。水供給源７０には、清浄水生成装置１が接続されており、清浄水生成装置１で生成された清浄水を貯留できる。Ａ原液供給源１７１には、Ａ原液として例えば重炭酸ナトリウムを含まない溶液原液が貯留され、Ｂ原液供給源１７２には、Ｂ原液として例えば重炭酸ナトリウムを含む溶液原液が貯留される。なお、透析液の水以外の成分の種類やその数はこれに限られない。
【００４１】
血液浄化装置１２０には、例えば水道管などの外部原水供給源と清浄水生成装置１の原水供給回路１１とを接続するための接続部Ａが設けられている。
【００４２】
以上の血液浄化装置１２０では、患者に対して例えば持続緩除式の血液浄化治療が行われる。例えば持続緩除式血液濾過（ＣＨＦ）治療が行われる場合、患者の血液が、血液ポンプ１４１により血液回路１４２を通じて血液浄化器１４０に供給される。血液浄化器１４０において血液から膜を通じて除去された老廃物等は、送液ポンプ１５３により排液回路１５５を通じて排液容器１５４に排出される。また、送液ポンプ１５１により透析液貯留容器１５０の透析液が、補液として透析液供給回路１５２を通じて血液回路１４２に供給される。血液浄化器１４０で浄化された血液は、血液回路１４２を通じて患者に戻される。
【００４３】
持続緩除式血液透析（ＣＨＤ）治療が行われる場合には、透析液貯留容器１５０の透析液が送液ポンプ１５１により血液浄化器１４０の膜の二次側１４０ｂに供給され、送液ポンプ１５３により血液浄化器１４０の二次側１４０ｂの透析液が排液容器１５４に排液される。血液浄化器１４０において、血液の一部成分が膜の二次側１４０ｂに流出して血液が浄化される。
【００４４】
透析液補充部１３１では、透析液調製部１６０において、水、Ａ液及びＢ液が混合され、透析液が調製される。このとき、上述の清浄水生成装置１で生成された清浄水は水供給源１７０に供給され、その水供給源１７０の水が用いられる。
【００４５】
透析液調製部１６０で調製された透析液は、透析液貯留容器１５０に供給され貯留される。
【００４６】
本実施の形態によれば、清浄水生成装置１が血液浄化装置１２０に搭載されているので、血液浄化装置１２０をどこでも水道管に接続するだけで、透析治療を行うことが可能となる。特に持続緩徐式の血液浄化治療においては透析液を継続的に生成できるので、医療従事者が透析液の補充を行う必要がなく、医療従事者の負担を低減できる。
【００４７】
血液浄化装置１２０は、外部原水供給源を清浄水生成装置１に接続するための接続部Ａを有するので、外部原水供給源との接続を簡単かつ適正に行うことができる。
【００４８】
なお、上記実施の形態では、持続緩徐式の治療を行う血液浄化装置１２０に清浄水生成装置１を搭載していたが、持続緩徐式以外の血液透析などの他の血液浄化治療を行う血液浄化装置に清浄水生成装置１を搭載してもよい。
【００４９】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５０】
例えば清浄水生成装置１や血液浄化装置１２０の構成は、上記実施の形態で記載した構成に限られない。清浄水生成装置１は透析液調製部に直接接続されておらず、単独のものであってもよい。また、送流回路１４、温度制御システム６０等の構成の他のものであってもよい。
【産業上の利用可能性】
【００５１】
本発明は、膜蒸留法を用いて清浄水生成装置を小型化しつつ、装置の稼働コストを低減する際に有用である。
【符号の説明】
【００５２】
１  清浄水生成装置
１０  ヒータ
１１  原水供給回路
１２  蒸留膜
１３  循環回路
１４  送流回路
１５  熱交換器
２０  循環ポンプ
４０  貯留タンク
４１  真空ポンプ
５０  減圧ポンプ
５１  脱気槽
６０  温度制御システム
８０  電導度測定装置
９０、１００  圧力センサ
１２０  血液浄化装置
【図１】
2015196150.tif 000003
【図２】
2015196150.tif 000004
【図３】
2015196150.tif 000005
【図４】
2015196150.tif 000006
【図５】
2015196150.tif 000007
【図６】
2015196150.tif 000008
【図７】
2015196150.tif 000009